(57)【要約】【課題】全面床吹出し空調において在室者個人に対して気流感を与えることができ、その個人用気流の吹出口位置の自由度を高めることができる。【解決手段】全面床吹出し空調の床３上に配置される椅子１は、床面３ａ上の所定空間を覆うとともに、下端周縁部８ａを床面３ａに当接可能としたカバー８と、支持脚７の通路７ａを介してカバー８の内空に連通する第１空気流通部Ｓ１が設けられた着座部５と、第１空気流通部Ｓ１に連通する第２空気流通部Ｓ２が設けられた背もたれ部６とを備えている。着座部５の着座面５ａと背もたれ部６の背もたれ面６ａにはそれぞれの空気流通部Ｓ１、Ｓ２に繋がる多数の通気孔が設けられ、カバー８内に取り込んだ空調空気Ｅを着座面５ａおよび背もたれ面６ａから外部に向けて吹き出す構成とした。【選択図】図１
2011085292.tif 000002
【特許請求の範囲】
【請求項１】
全面床吹出し空調の床上に配置され、着座部と背もたれ部とを備えた吹出し空調用椅子であって、
床面上の所定空間を覆うとともに、下端周縁部を床面に当接可能としたカバーが設けられ、
前記着座部と前記背もたれ部との少なくとも一方には、前記カバーの内側に連通する空気流通部と、この空気流通部に繋がる多数の通気孔とが設けられていることを特徴とする全面床吹出し空調用椅子。
【請求項２】
前記着座部を下方より支持するとともに、内部に通路を有する支持脚が設けられ、
前記通路は、下端が前記カバーの内側に連通し、上端が前記着座部の前記空気流通部に連通していることを特徴とする請求項１に記載の全面床吹出し空調用椅子。
【請求項３】
前記カバーは、上下移動可能であることを特徴とする請求項１又は２に記載の全面床吹出し空調用椅子。
【請求項４】
前記カバーには、外部に繋がる開口を形成する開閉手段が設けられていることを特徴とする請求項１乃至３のいずれかに記載の全面床吹出し空調用椅子。
【発明の詳細な説明】
【技術分野】
【０００１】
本発明は、全面床吹出し空調を利用した椅子に関する。
【背景技術】
【０００２】
従来、オフィス等における建物の二重床にＯＡ機器用の配線を収容するいわゆるＯＡフロアを利用し、孔空き状のＯＡフロアと通気性を有するカーペットを用いて床面全面から空調空気を室内に滲み出させる全面床吹出し空調が知られている（例えば、特許文献１参照）。
このような全面床吹出し空調では、吹き出した冷気が在室者に直接当たることが無く快適性が確保され、また室内の温度変化が少ないので長時間執務に適している。
【先行技術文献】
【特許文献】
【０００３】
【特許文献１】特開２００３−３２９２９４号公報
【発明の概要】
【発明が解決しようとする課題】
【０００４】
しかしながら、従来の全面床吹出し空調では、以下のような問題があった。
すなわち、床全面から滲み出すようにして吹き出すため、上述したように冷気が在室者に直接当らないといった快適性が得られる一方で、室内の気流が小さいことから、例えば外出先から戻った直後などには暑さを感じ、一時的に且つ個人的に冷気を得たいという場合がある。このような場合には、気流感を補うために別途個人用の吹出口を設置することが行われているが、その吹出口の設置箇所がＯＡフロアの形態、サイズによって制限されることから、自由度が少ないといった欠点があった。
【０００５】
本発明は、上述する問題点に鑑みてなされたもので、全面床吹出し空調において在室者個人に対して気流感を与えることができ、その個人用気流の吹出口位置の自由度を高めることができる全面床吹出し空調用椅子を提供することを目的とする。
【課題を解決するための手段】
【０００６】
上記目的を達成するため、本発明に係る全面床吹出し空調用椅子では、全面床吹出し空調の床上に配置され、着座部と背もたれ部とを備えた吹出し空調用椅子であって、床面上の所定空間を覆うとともに、下端周縁部を床面に当接可能としたカバーが設けられ、着座部と背もたれ部との少なくとも一方が、カバーの内側に連通する空気流通部を有するとともに、この空気流通部に繋がる多数の通気孔が設けられていることを特徴としている。
【０００７】
本発明では、カバーの下端周縁部を床面に当接させることで、カバー内が閉空間となり、床面から吹き出された空調空気の一部がカバー内に取り込まれるとともに、カバーの内空に連通する空気流通部に導かれ、その空調空気を着座部と背もたれ部との少なくとも一方の多数の通気孔から外部へ向けて吹き出すことができる。そのため、着座者（在室者）により近い位置となる着座部と背もたれ部から空調空気が吹き出されることになり、着座者は個人的に気流感を得ることができる。また、個人的な気流感が不要な場合には、例えば、カバーの下端周縁部を床面に対して当接させない状態にすることで、カバーと床面との間に開放部が形成されて床面からの空調空気が空気流通部に流入しなくなり、着座部や背もたれ部からの空調空気の吹き出しを止めることができる。
そして、全面床吹出し空調によって床全面にわたって空調空気が滲み出しているので、床面上であればどの位置に椅子を移動させても着座部や背もたれ部より空調空気を吹き出すことが可能である。
【０００８】
また、本発明に係る全面床吹出し空調用椅子では、着座部を下方より支持するとともに、内部に通路を有する支持脚が設けられ、通路は、下端がカバーの内空に連通し、上端が着座部の空気流通部に連通していてもよい。
本発明では、カバー内に取り込んだ空調空気を、支持脚の通路を介して着座部と背もたれ部との少なくとも一方の空気流通部へ流入させることができるので、支持脚の下端のみにカバーを備えたコンパクトな構造とすることが可能である。
【０００９】
また、本発明に係る全面床吹出し空調用椅子では、カバーは、上下移動可能であることが好ましい。
本発明では、カバーの上下移動により床面との間を開閉することができる。例えば、カバーを着座部とともに上下移動する構成とすることで、着座者が椅子に座ったときの着座部の沈み込みによってカバーが下方に移動して床面に当接し、着座者が座ったときだけカバー内に空調空気が取り込まれて着座部や背もたれ部からその空調空気を吹き出す機能を発揮させることができる。
【００１０】
また、本発明に係る全面床吹出し空調用椅子では、カバーには、外部に繋がる開口を形成する開閉手段が設けられていてもよい。
本発明では、着座部などからの吹き出しが不要な場合において、カバーの下端周縁部が床面に当接した状態であっても、開閉手段によりカバーの一部に開口を設けることでカバー内を開放空間にすることができ、その吹き出しを止めることができる。
【発明の効果】
【００１１】
本発明の全面床吹出し空調用椅子によれば、床面から滲み出した空調空気をカバーから着座者により近い位置となる着座部と背もたれ部との少なくとも一方から吹き出されるので、着座者（在室者）個人に対して気流感を与えることができる。
また、全面床吹出し空調用椅子を、床面上のどの位置に移動させても前記気流感による空調効果が得られることから、その個人用気流の吹出口位置の自由度を高めることができる。
【図面の簡単な説明】
【００１２】
【図１】本発明の実施の形態による全面床吹出し空調用椅子の側断面図である。
【図２】図１に示す全面床吹出し空調用椅子の斜視図である。
【図３】カバーを上方に移動させた状態を示す側断面図であって、図１に対応する図である。
【図４】本実施の形態の変形例による全面床吹出し空調用椅子の側断面図である。
【発明を実施するための形態】
【００１３】
以下、本発明の実施の形態による全面床吹出し空調用椅子について、図１乃至図３に基づいて説明する。
【００１４】
図１および図２に示すように、本実施の形態による全面床吹出し空調用椅子（以下、単に「椅子１」という）は、全面床吹出し方式の室内空調が採用される執務室などで用いられるものである。室内Ｒに採用される全面床吹出し方式の空調は、床下が給気チャンバ２として使用され、図示しない空調機より給気チャンバ２内に給気された空調空気Ｅが床３を通過して床３全面から上方に吹き出されるようになっている。
床３は、空調空気Ｅが床面３ａ全面にわたって均一に滲み出すように多孔構造をなし、具体的には多孔を形成したＯＡフロアと通気性を有するカーペットとから構成されている。
なお、空調空気Ｅとしては、冷気であっても、暖気であってもかまわない。
【００１５】
椅子１は、脚部４と、脚部４上に固定された着座部５と、背もたれ部６とを備えている。
脚部４には、着座部５を下方より支持するとともに、内部に通路７ａを有する支持脚７と、床面３ａ上の所定空間を覆うとともに、下端周縁部８ａを床面３ａに当接可能としたカバー８とを備えている。
【００１６】
支持脚７は、円筒状をなし、その上端部が着座部５の裏面中央部に固定され、その下端部には連結部材１０を介して車輪９が取り付けられている。つまり、支持脚７の通路７ａは、下端がカバー８の内空に連通し、上端が着座部５の第１空気流通部Ｓ１（後述する）に連通している。そして、支持脚７と連結部材１０とはヒンジ部１０ａによって接続され、着座部５が荷重を受けて沈むと、支持脚７も下がり、ヒンジ部１０ａを介して車輪９が径方向外側へ移動するようになっている。
なお、連結部材１０および車輪９は、カバー８の内空に収まるようになっている。
【００１７】
カバー８は、お椀を逆さにした形状をなし、その中心部を支持脚７に挿通させ、内面側を床面３ａに向けた状態で固定されている。そしてカバー８は、支持脚７とともに上下に移動する。ここで、図１は、着座者が椅子１に座ったときの状態を示している。カバー８の支持脚７に対する固定位置は、着座者が椅子１に座って着座部５が沈んで下方に移動した状態で、カバー８の下端周縁部８ａが床面３ａに対して隙間なく当接する位置に設定されている。そして、この状態において、カバー８の内側の空間は閉空間（図１の符号８ｂ）となる。
なお、カバー８の材質としては、例えば鉄、アルミニウム、プラスチック、ゴム、木材など所定形状が保持できる部材であればとくに限定されることはない。
【００１８】
着座部５は、内部に支持脚７の通路７ａに連通する第１空気流通部Ｓ１を有するとともに、この第１空気流通部Ｓ１に繋がる多数の通気孔５ｂ（図２）が着座面５ａにメッシュ状に設けられて構成されている。第１空気流通部Ｓ１は、着座面５ａのほぼ全面にわたる範囲に設けられている。
【００１９】
背もたれ部６は、内部に第１空気流通部Ｓ１に連通する第２空気流通部Ｓ２を有するとともに、この第２空気流通部Ｓ２に繋がる多数の通気孔６ｂ（図２）が背もたれ面６ａにメッシュ状に設けられて構成されている。第２空気流通部Ｓ２は、背もたれ面６ａのほぼ全面にわたる範囲に設けられている。
【００２０】
次に、上述した椅子１の作用について、図面に基づいて説明する。
すなわち、図１に示す椅子１において、カバー８の下端周縁部８ａを床面３ａに当接させることで、カバー８内が閉空間（収集空間８ｂ）となり、床面３ａから吹き出した空調空気Ｅがカバー８内に取り込まれるとともに、カバー８の内空に連通する支持脚７の通路７ａを介して第１空気流通部Ｓ１および第２空気流通部Ｓ２に導かれ、その空調空気Ｅを着座部５と背もたれ部６との多数の通気孔５ｂ、６ｂから外部へ向けて吹き出すことができる。そのため、着座者（在室者）により近い位置となる着座部５と背もたれ部６から空調空気Ｅが吹き出されることになり、着座者は個人的に気流感を得ることができる。
【００２１】
また、図３に示すように、個人的な気流感が不要な場合には、カバー８を上方に移動させてカバー８の下端周縁部８ａを床面３ａに対して当接させない状態にすることで、カバー８と床面３ａとの間に開放部（図３の符号Ｈ）が形成されて床面３ａからの空調空気Ｅが空気流通部Ｓ１、Ｓ２に流入しなくなり、着座部５や背もたれ部６からの空調空気Ｅの吹き出しを止めることができる。本実施の形態では、着座者が立ち上がることで、着座部５が持ち上がるとともにカバー８が上方に移動することになる。
このように、カバー８の上下移動により床面３ａとの間を開閉することができる。つまり、カバー８を着座部５とともに上下移動する構成とすることで、着座者が椅子に座ったときの着座部５の沈み込みによってカバー８が下方に移動して床面３ａに当接し、着座者が座ったときだけカバー８内に空調空気Ｅが取り込まれて着座部５や背もたれ部６からその空調空気Ｅを吹き出す機能を発揮させることができる。
【００２２】
そして、図１に示すように、室内Ｒに採用されている全面床吹出し空調によって床全面にわたって空調空気Ｅが滲み出しているので、床面３ａ上であればどの位置に椅子１を移動させても着座部５や背もたれ部６より空調空気Ｅを吹き出すことが可能である。
また、カバー８内に取り込んだ空調空気Ｅを、支持脚７の通路７ａを介して着座部５と背もたれ部６との空気流通部Ｓ１、Ｓ２へ流入させることができるので、支持脚７の下端のみにカバー８を備えたコンパクトな構造とすることが可能である。
【００２３】
上述のように本実施の形態による全面床吹出し空調用椅子では、床面３ａから滲み出した空調空気Ｅをカバー８から着座者により近い位置となる着座部５と背もたれ部６から吹き出されるので、着座者（在室者）個人に対して気流感を与えることができる。
また、椅子１を、床面３ａ上のどの位置に移動させても前記気流感による空調効果が得られることから、その個人用気流の吹出口位置の自由度を高めることができる。
【００２４】
次に、本発明の全面床吹出し空調用椅子による変形例について、添付図面に基づいて説明するが、上述の実施の形態と同一又は同様な部材、部分には同一の符号を用いて説明を省略し、実施の形態と異なる構成について説明する。
図４に示すように、本変形例による全面床吹出し空調用椅子（椅子１１）は、脚部の構造が上述した実施の形態とは異なっている。すなわち、上述した図１に示す実施の形態では、着座部５の略中心部に固定されている支持脚７を介してカバー８から着座部５内の第１空気流通部Ｓ１へ空調空気Ｅを導いているが、これに代えて、図４に示す本変形例ではカバー１３から直接第１空気流通部Ｓ１へ空調空気Ｅを導く構成となっている。
【００２５】
本変形例による椅子１１は、着座部５の四隅に下方から支持する車輪９を備えた支持脚１２が設けられ、着座部５にカバー１３が直接繋がった構成となっている。つまり、着座部５の裏面中央に開口穴５ｃが設けられており、この開口穴５ｃにカバー１３の上端開口１３ｃが連結され、第１空気流通部Ｓ１とカバー１３の内空（符号１３ｂ）とが連通している。なお、支持脚１２は、カバー１３に繋がる構成でなく、また内部に空調空気Ｅ用の通路もなく、単に椅子１の脚部として機能するものである。カバー１３は、下端周縁部１３ａが常に床面３ａに当接した状態であり、側面の一部に外部に繋がる開口を形成する上下にスライド自在な開閉蓋１４（開閉手段）が設けられている。
【００２６】
本変形例による椅子１１では、開閉蓋１４を閉じた状態でカバー１３内が閉空間となるので、カバー１３内に空調空気Ｅを取り込むことができ、さらにその空調空気Ｅは第１空気流通部Ｓ１および第２空気流通部Ｓ２に流入し、着座面５ａおよび背もたれ面６ａから外方へ向けて吹き出される。
そして、着座部５などからの吹き出しが不要な場合において、カバー１３の下端周縁部１３ａが床面３ａに当接した状態であっても、開閉蓋１４を開けてカバー１３の一部に開口が形成されるので、カバー１３内が開放空間となり、カバー１３内に入る空調空気Ｅがその開放部から外方へ流れ、空気流通部Ｓ１、Ｓ２に流入しなくなり、着座部５や背もたれ部６からの空調空気Ｅの吹き出しを止めることができる。
【００２７】
以上、本発明による全面床吹出し空調用椅子の実施の形態について説明したが、本発明は上記の実施の形態に限定されるものではなく、その趣旨を逸脱しない範囲で適宜変更可能である。
例えば、本実施の形態では着座部５と背もたれ部６との両方にカバー８、１３で取り込んだ空調空気Ｅを流入させて着座面５ａおよび背もたれ面６ａより吹き出させる構成としているが、着座面５ａおよび背もたれ面６ａのいずれか一方のみであってもかまわない。例えば、背もたれ面６ａのみとする場合には、第２空気収容室Ｓ２を直接、支持脚７の通路７ａに繋ぐ構造とすることも可能である。
また、カバーより取り込んだ空調空気Ｅの流通を適宜な箇所で開閉する機構を設けることも可能である。例えば、着座面５ａおよび背もたれ面６ａの通気孔５ｂ、６ｂを開閉可能とすることで、着座者が着座面５ａと背もたれ面６ａからの吹き出しの切り替えが可能となり、気流感を得るための吹出口を適宜選択することができる。
【００２８】
さらに、本実施の形態ではカバー８が着座部５（支持脚７）とともに上下動可能に設けられ、これによりカバー８内の空間を開放可能としているが、このような構成に限定されることはなく、上記変形例のようにカバー自体を上下移動させずに、カバーの一部に開口部を形成するスライド式の開閉蓋１４や、或いは伸縮式の開口手段であってもかまわない。
【００２９】
さらにまた、本実施の形態では着座による荷重によって着座部５が沈み込み、カバー８が床面３ａに当接する構造としたが、もちろん着座の荷重と関係なくカバーを上下させる構成であってもよい。その場合、カバーを床面に完全に当接させずに少し開けるようにすることによって気流の量を調節することもできる。
【００３０】
また、カバーの上下移動機構についても本実施の形態では支持脚７に固定され、着座部５とともに上下移動する構造となっているが、このような機構に限定されることはない。例えば、支持脚７の外周面に上下方向に延びる案内レールを設け、その案内レールに沿ってカバーを上下に移動させる構造であってもよい。
【００３１】
そして、椅子の各部位（着座部５、背もたれ部６、支持脚７、１２、車輪９）の形状、大きさ、位置などの構成は、施工条件などに応じて適宜設定することができる。
また、カバー８の形状、大きさ、取り付け位置、材質などの構成についても椅子１の形状、取り込む空調空気量等に応じて適宜設定すればよい。
【符号の説明】
【００３２】
１、１１  椅子（全面床吹出し空調用椅子）
３  床
３ａ  床面
４  脚部
５  着座部
５ａ  着座面
５ｂ  通気孔
６  背もたれ部
６ａ  背もたれ面
６ｂ  通気孔
７、１２  支持脚
７ａ  通路
８、１３  カバー
８ａ、１３ａ  下端周縁部
１４  開閉蓋（開閉手段）
Ｅ  空調空気
Ｓ１  第１空気流通部
Ｓ２  第２空気流通部
Ｒ  室内
【図１】
2011085292.tif 000003
【図２】
2011085292.tif 000004
【図３】
2011085292.tif 000005
【図４】
2011085292.tif 000006